(57)【要約】  導入された流体から異物を除去するストレーナ１は、異物を含む流体を導入する入口部と、入口部を通って導入された流体から前記異物を除去する巻き取り可能な濾過網２７と、前記巻き取り可能な濾過網２７を通り抜けた前記流体を流出させる出口部と、前記巻き取り可能な濾過網２７の所定の長さだけ巻回する第１のローラ軸２３と、前記巻き取り可能な濾過網２７の所定の長さだけ繰り出す第２のローラ軸２２とを備え、前記第１のローラ軸２３は、前記第２のローラ軸２２に所定の距離を空けて対向して位置し、前記異物を捕捉した前記巻き取り可能な濾過網２７が、前記第１のローラ軸２３によって巻回され、新しい巻き取り可能な濾過網２２が前記第２のローラ軸によって繰り出される。【選択図】図３
2021501050.tif 000002
【特許請求の範囲】
【請求項１】
導入された流体から異物を除去するストレーナであって、
異物を含む流体を導入する入口部と、
前記入口部を通って導入された流体から前記異物を除去する巻き取り可能な濾過網と、
前記巻き取り可能な濾過網を通り抜けた前記流体を流出させる出口部と、
前記巻き取り可能な濾過網の所定の長さだけ巻回する第１のローラ軸と、
前記巻き取り可能な濾過網の所定の長さだけ繰り出す第２のローラ軸と、を備え、
前記第１のローラ軸は、前記第２のローラ軸との間に所定の距離を空けて対向して位置し、前記異物を捕捉した前記巻き取り可能な濾過網は、前記第１のローラ軸によって巻回され、新しい巻き取り可能な濾過網が前記第２のローラ軸によって繰り出される、
ストレーナ。
【請求項２】
さらに、水平方向に前記第１のローラ軸に対向するよう配設された第３のローラ軸を備え、
ブラシが前記第３のローラ軸の前記外周面に設けられて前記第１のローラ軸によって巻回された前記巻き取り可能な濾過網に捕捉された前記異物を除去する請求項１に記載のストレーナ。
【請求項３】
前記第３のローラ軸の前記回転速度は、前記第１のローラ軸の前記回転速度より速い請求項２に記載のストレーナ。
【請求項４】
さらに、ドレンを備え、前記巻き取り可能な濾過網から除去された異物は、前記第３のローラ軸の前記外周面上の前記ブラシによって前記ドレンを介して排出される請求項３に記載のストレーナ。
【請求項５】
さらに、前記第１のローラ軸と前記第２のローラ軸の間に配設されて前記巻き取り可能な濾過網を支持する支持部材を備え、
前記支持部材は、フレーム形状を有し、前記巻き取り可能な濾過網の前記幅方向両端部に対応する前記二つの部材は、それぞれ前記各部材の前記幅方向外側に傾斜する傾斜面を有する請求項１乃至４のいずれか一項に記載のストレーナ。
【請求項６】
前記支持部材を構成する前記傾斜面を有する前記二つの部材は、それぞれその前記外側端部で折り返した折り返し部を有し、前記巻き取り可能な濾過網の前記幅方向両端部は、前記傾斜面と前記折り返し部の間に位置する請求項５に記載のストレーナ。
【請求項７】
前記支持部材に支持された前記巻き取り可能な濾過網は、前記異物を含む前記流体の前記流れ方向に対して直交するよう配設される請求項６に記載のストレーナ。
【請求項８】
前記第１のローラ軸と前記第２のローラ軸は、前記駆動ローラである、或いは、前記第１のローラ軸は、前記駆動ローラであって、前記第２のローラ軸は、前記従動ローラである請求項７に記載のストレーナ。
【請求項９】
濾過システムであって、
流体に含まれる異物を除去するためのストレーナと、
前記ストレーナに異物を含む流体を供給する流入管と、
前記流入管に接続された主流体ラインポンプと、
前記主流体ラインポンプの前記下流側且つ前記ストレーナの前記上流側の前記流入管に取り付けた第１のバルブと、
前記ストレーナによって異物が除去された流体を流すための流出管と、
前記ストレーナによって前記流体から除去された異物を排出するドレン管と
前記ドレン管を通って異物が流入する廃棄物回収装置と、
コントローラとを備え、
前記ストレーナが、さらに、
異物を含む流体を導入する入口部と、
前記入口部を通って導入された流体から前記異物を除去する粒子と、
前記巻き取り可能な濾過網を通り抜けた前記流体を流出させる出口部と、
前記巻き取り可能な濾過網の所定の長さだけ巻回する第１のローラ軸と、
前記巻き取り可能な濾過網の所定の長さだけ繰り出す第２のローラ軸と、を備え、
前記第１のローラ軸は、前記第２のローラ軸との間に所定の距離を空けて対向して位置し、前記異物を捕捉した前記巻き取り可能な濾過網が前記第１のローラ軸に巻回され、新しい巻き取り可能な濾過網が前記第２のローラ軸によって繰り出される、濾過システム。
【請求項１０】
前記ストレーナは、さらに、
水平方向に前記第１のローラ軸に対向するよう配設された第３のローラ軸を備え、
ブラシが前記第３のローラ軸の前記外周面に設けられて前記第１のローラ軸によって巻回された前記巻き取り可能な濾過網に捕捉された前記異物を除去する請求項９に記載の濾過システム。
【請求項１１】
前記第３のローラ軸の前記回転速度は、前記第１のローラ軸の前記回転速度より速い請求項１０に記載の濾過システム。
【請求項１２】
前記ストレーナは、さらに、
前記第１のローラ軸と前記第２のローラ軸の間に配設されて前記巻き取り可能な濾過網を支持する支持部材を備え、
前記支持部材は、フレーム形状を有し、前記巻き取り可能な濾過網の前記幅方向両端部に対応する前記二つの部材は、それぞれ前記各部材の前記幅方向外側に傾斜する傾斜面を有する請求項９乃至１１のいずれか一項に記載の濾過システム。
【請求項１３】
前記支持部材を構成する前記傾斜面を有する前記二つの部材は、それぞれその前記外側端部で折り返した折り返し部を有し、前記巻き取り可能な濾過網の前記幅方向両端部は、前記傾斜面と前記折り返し部の間に位置する請求項１２に記載の濾過システム。
【請求項１４】
前記ストレーナの前記入口部と出口部の間の前記差圧が前記第１の閾値を超えると、前記コントローラは前記第１のローラ軸を制御して前記巻き取り可能な濾過網を所定の長さだけ巻回し、前記第２のローラ軸を制御して前記巻き取り可能な濾過網を所定の長さだけ繰り出す請求項１３に記載の濾過システム。
【請求項１５】
前記コントローラは、前記巻き取り可能な濾過網の前記張力測定値と、前記第１のローラ軸及び前記第２のローラ軸の前記回転角度測定値に基づいて回転駆動する前記第１のローラ軸又は前記第２のローラ軸によって、前記巻き取り可能な濾過網の前記張力を制御する請求項１４に記載の濾過システム。
【請求項１６】
さらに、
前記第２のバルブの上流側且つ前記ストレーナの下流側で分岐管を介して流出管に接続された逆洗ポンプを備え、
前記コントローラは、前記主流体ラインポンプを停止し、前記第１のバルブを閉じ、前記逆洗ポンプを駆動して、前記第２のバルブを介して前記流出管に導入された前記洗浄液又は前記化学洗浄剤が加圧され、前記加圧された洗浄液又は加圧された化学洗浄剤が前記流出管を介して前記ストレーナに導入され、前記巻き取り可能な濾過網に捕捉された前記異物が前記洗浄液の前記水圧又は前記化学洗浄剤による前記化学洗浄によって除去され、除去された前記異物が前記ドレン管を介して前記廃棄物回収装置に排出されるように制御する請求項１５に記載の濾過システム。
【請求項１７】
逆洗工程の後、前記コントローラは、前記ストレーナの前記入口部と前記出口部の間の前記差圧が所定の第２の閾値を超えるように前記第１のバルブを開いて前記主流体ラインポンプを駆動し、前記逆洗工程を繰り返し実行する請求項１６に記載の濾過システム。
【請求項１８】
前記コントローラは、前記逆洗工程の後に前記第１のバルブが開くように前記主流体ラインポンプを制御し、前記ストレーナの前記入口部と前記出口部の間の差圧が前記所定の第２の閾値以下であれば、前記コントローラは、前記第２のローラ軸を制御して前記巻き取り可能な濾過網の所定の長さだけ巻回し、前記第１のローラ軸を制御して前記巻き取り可能な濾過網の所定の長さだけ繰り出す請求項１６に記載の濾過システム。
【請求項１９】
前記所定の第２の閾値は、前記所定の第１の閾値よりも小さい請求項１７又は請求項１８に記載の濾過システム。
【発明の詳細な説明】
【技術分野】
【０００１】
本発明は、流体から異物を除去するためのストレーナ及び濾過システムに関する。
【背景技術】
【０００２】
異物を含む流体から異物を除去する技術として、例えば、特許文献１及び特許文献２に記載の技術が提案されている。
【０００３】
特許文献１には、回転可能に配置され、かつ、壁面に形成された多孔質体を有する円筒型のエレメントを備え、固体を含む液体から固体を多孔質構造で捕捉して分離するストレーナが開示されている。特許文献１では、螺旋状のスクリュー羽根を溶接等により円筒型のエレメントに固定し、そのスクリュー羽根の上にブラシを設け、その円筒型のエレメントの内周面をブラシで擦ることで、円筒型のエレメントの内周面に付着した固体を除去している。
【０００４】
さらに、特許文献１では、清掃部材回転軸、エレメント、清掃部材、及びエレメント支持部材の組立体をケーシングから引き出して容易にブラシ材料を交換できることが記載されている。
【０００５】
特許文献２では、スラッジを含む原水を濾過するフィルタエレメントと、フィルタエレメントの外周側とフィルタエレメントの内周に配設された、ブラシ又はスクレーパから構成される掻き取り部による、前記フィルタエレメントの外周側に配置された掻き取り機構と、前記フィルタエレメントの内周側に配置された掻き取り機構と、を備える掻き取り機構とを有し、前記フィルタエレメントの前記外周面と前記内周面の両方に付着成長したスラッジを同時に掻き落とし、前記掻き落とされたスラッジがドレン管を通って排出される構造を開示している。
【先行技術文献】
【特許文献】
【０００６】
【特許文献１】特開２０１２−２００６２４号公報
【０００７】
【特許文献２】特開２０１２−１３５７２９号公報
【発明の概要】
【発明が解決しようとする課題】
【０００８】
しかしながら、特許文献１の構成では、円筒型のエレメントに付着した固体はブラシによって除去されるが、ブラシの劣化により分離の性能が低下することは避けられない。また、固体が核分裂性物質などの汚染物質である場合、ブラシ交換作業時に作業者が汚染物質に曝される恐れがある。さらに、そもそも、例えば、ストレーナが狭い場所に配設されている場合など、作業者が接近できない場合に、劣化したブラシを交換することができない点については考慮されていない。
【０００９】
さらに、特許文献２の構成では、フィルタエレメントの外周側に配設された掻き取り機構と、フィルタエレメントの内周側に配設された掻き取り機構とによって、フィルタエレメントに付着したスラッジを除去することが可能である。しかし、ブラシによって除去できないスラッジが残っている場合、又はフィルタエレメントを保守するためには、フィルタエレメントをストレーナから取り出す必要がある。したがって、特許文献２においても、そもそも、例えば、ストレーナが狭い場所に配設されている場合など、作業者が接近できない場合に、劣化したブラシを交換することができない点については考慮されていない。
【００１０】
本発明は、異物を含む流体から異物を除去する分離の性能を維持することができ、作業者が狭い場所等の接近が困難な環境でも取り付け可能なストレーナ及び濾過システムを提供する。
【課題を解決するための手段】
【００１１】
上記の問題を解決するために、本発明による、導入された流体から異物を除去する前記ストレーナは、異物を含む流体を導入する入口部と、前記入口部を通って導入された流体から前記異物を除去する巻き取り可能な濾過網と、前記巻き取り可能な濾過網を通り抜けた前記流体を流出させる出口部と、前記巻き取り可能な濾過網の所定の長さだけ巻回する第１のローラ軸と、前記巻き取り可能な濾過網の所定の長さだけ繰り出す第２のローラ軸とを備え、前記第１のローラ軸は、前記第２のローラ軸との間に所定の距離を空けて対向して位置し、前記異物を捕捉した前記巻き取り可能な濾過網が前記第１のローラ軸に巻回され、新しい巻き取り可能な濾過網が前記第２のローラ軸によって繰り出される。
【００１２】
また、本発明による濾過システムは、流体に含まれる異物を除去するためのストレーナと、前記ストレーナに異物を含む流体を供給する流入管と、前記流入管に接続された主流体ラインポンプと、前記主流体ラインポンプの下流側且つ前記ストレーナの上流側の前記流入管に取り付けた第１のバルブと、前記ストレーナによって異物が除去された流体を流すための流出管と、前記ストレーナによって前記流体から除去された異物を排出するドレン管と、前記ドレン管を通って異物が流入する廃棄物回収装置と、コントローラと、を備え、前記ストレーナは、さらに、異物を含む流体を導入する入口部と、前記入口部を通って導入された流体から前記異物を除去する巻き取り可能な濾過網と、前記巻き取り可能な濾過網を通り抜けた前記流体を流出させる出口部と、前記巻き取り可能な濾過網の所定の長さだけ巻回する第１のローラ軸と、前記巻き取り可能な濾過網の所定の長さだけ繰り出す第２のローラ軸とを備え、前記第１のローラ軸は、前記第２のローラ軸との間に所定の距離を空けて対向して位置し、前記異物を捕捉した前記巻き取り可能な濾過網は、前記第１のローラ軸に巻回され、新しい巻き取り可能な濾過網が前記第２のローラ軸によって繰り出される。
【発明の効果】
【００１３】
本発明によれば、異物を含む流体から異物を除去する分離の性能を維持することができ、作業者が狭い場所等の作業が困難な環境で取り付け可能なストレーナ及び濾過システムを提供することができる。
【００１４】
上記以外の課題、構成及び効果は、以下の実施形態の説明により明らかにされる。
【図面の簡単な説明】
【００１５】
【図１】本発明の第１の実施形態による濾過システムの全体概略構成図である。
【図２】図１に示すストレーナの正面図である。
【図３】図２に示す線Ａ−Ａに沿って切ったストレーナの断面図である。
【図４】図３に示すストレーナを構成する支持部材の形状を説明する図である。
【図５】図１に示すコントローラの機能ブロック図である。
【図６】図３に示す巻き取り可能な濾過網の形状を示す図である。
【図７】図３に示す巻き取り可能な濾過網の別の形状を示す図である。
【図８】図１に示す濾過システムの逆洗のフローチャートである。
【図９】本発明の第２の実施形態による濾過システムの全体概略構成図である。
【図１０】図９に示すストレーナの縦断面図と流体の流れの方向に沿って切った断面図である。
【図１１】図１０に示すストレーナを構成する支持部材の形状を説明する図である。
【発明を実施するための形態】
【００１６】
本明細書において、流体に含まれる異物は、本発明のストレーナ及び濾過システムを水処理システムに適用した場合の有機粒子、スラッジ、汚染粒子等を含む。本発明のストレーナ及び濾過システムが原子力発電所に適用される場合、流体に含まれる異物の中には、核分裂性物質などの危険粒子が含まれる。本発明のストレーナ及び濾過システムが、熱発電プラント又は油を輸送するためのパイプラインに適用される場合も同様である。
【００１７】
以下、本発明の実施形態について、図面を参照しながら説明する。
【実施例１】
【００１８】
図１は、本発明の第１の実施形態による濾過システムの全体概略構成図である。図１に示すように、濾過システム１は、流体に含まれる異物を除去するためのストレーナ２と、ストレーナ２に異物を含む流体を供給する流入管９と、流入管９に接続された主流体ラインポンプ３と、主流体ラインポンプ３の下流側且つストレーナ２の上流側の流入管９に取り付けられた第１のバルブとしての上流バルブ６と、ストレーナ２によって異物が除去された流体が流れる流出管１０と、流出管１０に取り付けた第２のバルブとしての下流バルブ７と、第２のバルブの上流側且つストレーナ２の下流側で分岐管を介して流出管１０に接続された逆洗ポンプ４と、を備える。
【００１９】
また、濾過システム１は、ストレーナ２によって流体から除去（分離）された異物を排出するドレン管１１と、ドレン管１１を介して異物が流入する廃棄物回収装置５と、廃棄物回収装置５の上流側及びストレーナ２の下流側のドレン管１１に取り付けられた第３のバルブであるドレンバルブ８とを備える。
【００２０】
加えて、濾過システム１は、ストレーナ２、主流体ポンプ３、逆洗ポンプ４、第１のバルブとしての上流バルブ６、第２のバルブとしての下流バルブ７、及びドレンバルブ８を制御するための後述のコントローラ１２を備えている。
【００２１】
第１のバルブとしての上流バルブ６、第２のバルブとしての下流バルブ７と、第３のバルブとしての下流バルブ８として、例えば、電磁バルブが使用される。
【００２２】
また、廃棄物回収装置５は、ストレーナ２によって流体から除去（分離）された異物に対して所定の処理を行う処理装置や、ストレーナ２によって流体から除去（分離）された異物を貯留したタンクである。
【００２３】
主流体ラインポンプ３は、異物を含む流体を昇圧し、加圧された異物を含む流体が、第１のバルブとしての上流バルブ６及び流入管９を介してストレーナ２に導入される。
【００２４】
逆洗ポンプ４は、第２のバルブとしての下流バルブ７を介して流出管１０に導入された洗浄液又は化学洗浄剤を加圧し、加圧された洗浄液又は加圧された化学洗浄剤等が流出管１０を介してストレーナ２に導入される。逆洗の詳細については後述する。
【００２５】
図２は、図１に示したストレーナ２の正面図である。図２に示すように、ストレーナ２は、メインハウジング２１と、第１のローラ軸２３と、第２のローラ軸２２と、第１のローラ軸２３を回転可能に支持する第１のローラ軸支持部２５と、第２のローラ軸２２を回転可能に支持する第２のローラ軸支持部２４と、逆回転ブラシ２６と、巻き取り可能な濾過網２７と、出口フランジ２８と、巻き取り可能な濾過網２７を支持する支持部材２９と、ドレン３０と、逆回転ブラシの増速ギヤ３２と、ローラ軸駆動部３１とを備えている。図２の正面図は、異物を含む流体の流れ方向に沿って見た正面図であるため、出口フランジ２８は図２の奥側に存在するので点線で示している。
【００２６】
メインハウジング２１の内部において鉛直方向下側に配設された第１のローラ軸２３は、軸方向両端部（長手方向の両端部）に傾斜面２３ａを有している。すなわち、傾斜面２３ａは、円錐が切り欠かれた形状に近似した形状を有している。すなわち、傾斜面２３ａは、第１のローラ軸２３の外径が、軸方向端部（長手方向の両端部）に向かうにつれて連続的に大きくなるような形状を有している。
【００２７】
メインハウジング２１の内部において鉛直方向上側に配設された第２のローラ軸２２は、軸方向両端部（長手方向の両端部）に傾斜面２２ａを有している。すなわち、傾斜面２２ａは、円錐が切り取られた形状に近似した形状を有している。すなわち、傾斜面２２ａは、第２のローラ軸２３の外径が、軸方向端部（長手方向の両端部）に向かうにつれて連続的に大きくなるような形状を有している。
【００２８】
傾斜面２３ａを有する第１のローラ軸２３の軸方向両端部（長手方向の両端部）以外の外径と、傾斜面２２ａを有する第２のローラ軸２２の軸方向の両端部（長手方向の両端部）以外の外径とは、同一であることが好ましい。
【００２９】
ローラ軸駆動部３１は、ステッピングモータ又はサーボモータ（図示せず）を備え、第１のローラ軸２３及び第２のローラ軸２２、或いは第１のローラ軸２３を回転駆動する。その結果、後で詳述する巻き取り可能な濾過網２７は、第１のローラ軸２３によって所定の長さ（所定の巻回量）だけ巻回され、第２のローラ軸２２によって所定の長さ（所定の繰り出し量）だけ繰り出される。図２に示す例では、巻き取り可能な濾過網２７は、支持部材２９によって支持され、ガイドされ、所定の長さだけ鉛直下方向に移動する。
【００３０】
加えて、ステッピングモータ又はサーボモータ（図示せず）は、逆回転ブラシ２６のローラ軸（第３のローラ軸）も回転駆動する。すなわち、逆回転ブラシ２６は、第３のローラ軸の外周面にブラシを有し、第３のローラ軸は、ステッピングモータ又はサーボモータ（図示せず）によって回転駆動される。逆回転ブラシ２６の外径は、第１のローラ軸２３及び第２のローラ軸２２の外径よりも小さい。
【００３１】
図３は、図２に示す線Ａ−Ａに沿って切ったストレーナ２の断面図である。図３に示すように、第１のローラ軸２３と第２のローラ軸２２とは、互いに対向するように鉛直方向に所定の距離だけ互いに離間している。また、第１のローラ軸２３は、逆回転ブラシ２６に対して水平方向に対向して配設されている。巻き取り可能な濾過網２７が第１のローラ軸２３によって所定の長さＬ（所定の巻回量）だけ巻かれると、巻き取り可能な濾過網２７によって捕捉された異物は、逆回転ブラシ２６によって掻き取られる。掻き取られた異物は、ドレン３０を介してドレン管１１を通って重力によって流れ、廃棄物回収装置５（図１）に流入する。
【００３２】
ここで、逆回転ブラシ２６のローラ軸（第３のローラ軸）の回転速度は、第１のローラ軸２３の回転速度よりも速い。これにより、相対的に停止状態であるとみなされる第１のローラ軸２３によって巻回された巻き取り可能な濾過網２７によって捕捉された異物を効率的に除去することが可能となる。
【００３３】
逆回転ブラシの増速ギヤ３２（図２）は複数のギヤを有し、逆回転ブラシ２６のローラ軸（第３のローラ軸）の回転速度は、選択されたギヤ比に応じて決定される。例えば、１つのギヤを選択し、選択したギヤに係合する他のギヤの外径を半分（１／２）に設定することにより、逆回転ブラシ２６のローラ軸（第３のローラ軸）の回転速度が２倍になる。逆回転ブラシ２６のローラ軸（第３のローラ軸）の適切な回転速度は、予め試験等によりブラッシング効率を確認することで適宜設定することができる。
【００３４】
図３に示すように、ストレーナ２のメインハウジング２１は、流体が流れる側の入口フランジ３３と、流体が流れ出る側の出口フランジ２８とを有している。入口フランジ３３は、例えば、ボルトによって流入管９に対して水密に締結されている。また、出口フランジ２８は、例えば、ボルトによって流出管１０に対して水密に締結されている。すなわち、ストレーナ２の入口部（入口ノズルともいう）は、継手を介して流入管９に接続され、ストレーナ２の出口部（出口ノズルとも呼ぶ）は、継手を介して流出管１０に接続されている。
【００３５】
鉛直方向に所定の距離だけ離間して互いに対向して配置された第１のローラ軸２３及び第２のローラ軸２２の周囲に巻き付けられ、支持部材２９に支持された巻き取り可能な濾過網２７は、流体の流れ方向に対して直交するように配設されている。なお、巻き取り可能な濾過網２７は、流体の流れ方向に対して直交するように配設されることに限定されない。ストレーナ２の入口部（入口ノズル）は、例えば、ストレーナ２の入口部（入口ノズル）に接続された流入管９を、継手を介して配索することにより、折り曲げられてもよい。この場合、巻き取り可能な濾過網２７は、流体の流れの方向に対して所定の角度を有するように配設される。流体に応じて、流体の流れの方向に対して所定の角度を有するように巻き取り可能な濾過網２７を傾斜させることによって、流体に含まれる異物をより効率的に捕捉することが可能となり得る。
【００３６】
鉛直方向に所定の距離だけ互いに離間して、互いに対向する第１のローラ軸２３及び第２のローラ軸２２は、共に駆動ローラである。すなわち、第１のローラ軸２３及び第２のローラ軸２２は、ローラ軸駆動部３１に設けられたステッピングモータ又はサーボモータ（図示せず）によって同期回転駆動される（図２）。第１のローラ軸２３の回転速度と第２のローラ軸２２の回転速度とは同じである。このように、第１のローラ軸２３及び第２のローラ軸２２を共に駆動ローラとして用いることで、第１のローラ軸２３及び第２のローラ軸２２の周囲に巻き付けられる巻き取り可能な濾過網２７の張力を高精度に制御することができる。流体に含まれる異物が捕捉された巻き取り可能な濾過網２７は、第１のローラ軸２３によって所定の巻回量（所定の長さＬ）だけ巻回される。同様に、新しい巻き取り可能な濾過網２７（流体に含まれる異物が捕捉されていない）は、第２のローラ軸２２によって所定の繰り出し量（所定の長さＬ）で繰り出される。なお、第１のローラ軸２３及び第２のローラ軸２２を駆動ローラとして用いるのではなく、以下の構造を採用してもよい。
【００３７】
すなわち、第１のローラ軸２３が駆動ローラであってもよく、第２のローラ軸２２は従動ローラであってもよい。この場合、例えば、ばねの一端は、従動ローラである第２のローラ軸２２の軸方向の中心、両端部（長手方向の両端部）に固定され、ばねの他端は、固定ベースに固定されるようにすればよい。ばねを逆方向に付勢することによって、巻き取り可能な濾過網２７の張力が制御される。また、第１のローラ軸２３の回転力が無端ベルトを介して第２のローラ軸２２に伝達されるように、無端ベルト上に、駆動ローラである第１のローラ軸２３の軸方向の両端部（長手方向の両端部）及び従動ローラである第２のローラ軸２２の軸方向の両端部（長手方向の両端部）が形成される。
【００３８】
巻き取り可能な濾過網２７は、例えば、ステンレス鋼で作られている。巻き取り可能な濾過網２７の構成材料は、ステンレス鋼に限らず、捕捉される異物や流体の物性に応じて適宜選択することができる。例えば、腐食性流体の場合、腐食性流体の化学的性質に応じて、好適な金属材料、非金属材料で被覆された金属材料、又は非金属材料などが選択される。加えて、異物が高濃度の核分裂性材料を含む場合には、ステンレス鋼などの金属材料を用いることが望ましい。
【００３９】
図４は、図３に示すストレーナを構成する支持部材の形状を説明する図である。図４において、左上の図は支持部材２９の斜視図を示し、右上の図は支持部材２９の正面図を示し、左下の図は支持部材２９の側面図を示し、右下の図は支持部材２９の上面図を示す。なお、支持部材２９の正面図は、流体の流れ方向に沿って見たときの正面図である。図４の斜視図に示すように、支持部材２９は、フレーム形状を有している。支持部材２９は、流体の流入側に鉛直に立設された二つの部材と、これらの二つの部材の両方の鉛直端部を結ぶ水平方向の二つの部材と、二つの部材の両端部から流体の流れ方向に平行に立設して延びる一対の部材（脚部）と、を備えている。
【００４０】
また、支持部材２９は、図４の正面図に示すように、鉛直方向に直立する二つの部材と、二つの部材の鉛直方向の両端部を結ぶ水平方向の二つの部材と、によって構成され、矩形の開口部を形成している。このように支持部材２９をフレーム形状に形成することで、主流体ラインポンプ３で加圧された異物を含む流体と、加圧された異物を含む流体とが、支持部材２９に支持された巻き取り可能な濾過網２７を通過する際に、圧力損失を低減することができる。図４の外観斜視図及び上面図に示すように、支持部材２９を構成する鉛直方向に起立した二つの部材は、それぞれ、流体の流れ方向に対向するように、幅方向の外側端部に向かって突出する傾斜面２９ａを有している。すなわち、傾斜面２９ａは、外側に向かうにつれて鉛直方向に立ち上がる二つの部材の距離が大きくなるような形状を有し、又は、傾斜面２９ａが、鉛直方向に起立する部材の幅方向の外側に向かって傾斜した形状を有している。その結果、巻き取り可能な濾過網２７の幅方向（巻回方向に対して直交する方向）の両端部が支持部材２９の傾斜面２９ａに当接して、巻き取り可能な濾過網２７の幅方向（巻回方向に対して直交する方向）の両端部から巻き取り可能な濾過網２７に捕捉された異物が下流側に漏れないよう防止することができる。
【００４１】
傾斜面２９ａの傾斜角度は、第１のローラ軸２３の軸方向両端部（長手方向両端部）に形成された傾斜面２３ａの傾斜角度と、及び第２のローラ軸２２の軸方向両端部（長手方向両端部）に形成された傾斜面２２ａの傾斜角度と、ほぼ同じである。その結果、巻き取り可能な濾過網２７の第１のローラ軸２３による巻回時（巻き取り可能な濾過網２７の第２のローラ軸２２による繰り出し時）に、巻き取り可能な濾過網２７に撓みが生じるのを防止することが可能である。
【００４２】
支持部材２９は、例えば、ステンレス鋼により形成されている。なお、支持部材２９の材料は、ステンレス鋼に限定されず、流体の物性に応じて好適に選択することができる。例えば、腐食性流体の場合、腐食性流体の化学的性質に応じて、好適な金属材料、非金属材料で被覆された金属材料、又は非金属材料などが選択される。加えて、異物が高濃度の核分裂性材料を含む場合には、ステンレス鋼などの金属材料を用いることが望ましい。加圧された異物を含む流体の通過時の圧力損失及び耐圧の低下を考慮して、支持部材２９の構成材料を高強度ステンレス鋼とすることが好ましい。
【００４３】
図５は、図１のコントローラ１２の機能ブロック図である。まず、図２及び図３には示されていないが、ストレーナ２には、巻き取り可能な濾過網２７の張力を測定するテンションセンサ、ストレーナ２の入口部（入口ノズル）側と出口部（出口ノズル）側の差圧を測定する圧力センサ（流体圧力センサ）、第１のローラ軸２３の回転角度及び第２のローラ軸２２の回転角度を測定する回転角度センサ等の各種センサ３４が取り付けられている。ローラ軸駆動部３１に取り付けられたモータがサーボモータである場合、各種センサ３４としては、ポテンショメータ等の位置検出器や、タコジェネレータ等の速度検出器がストレーナ２に取り付けられている。
【００４４】
図５に示すように、コントローラ１２は、張力制御部４１と、巻回量制御部４２と、巻回タイミング制御部４３と、逆洗制御部４４と、記憶部４５と、入力ＩＦ４６と、出力ＩＦ４７と、通信ＩＦ４８とを備え、これらは内部バス４９を介して互いにアクセス可能である。張力制御部４１と、巻回量制御部４２と、巻回タイミング制御部４３と、逆洗制御部４４とは、（図示しない）中央処理装置（ＣＰＵ）等のプロセッサと、各種プログラムを記憶したＲＯＭと、操作処理データを一時的に記憶したＲＡＭと、外部記憶装置とにより実現される。加えて、ＣＰＵ等のプロセッサは、ＲＯＭに記憶された各種プログラムを読み出して実行し、演算結果を実行結果としてＲＡＭ又は外部記憶装置に記憶させる。なお、張力制御部４１と、巻回量制御部４２と、巻回タイミング制御部４３と、及び逆洗制御部４４とは、単一の機能ブロックに分割されて示されている。プロセッサは、演算器であってもよく、又は所望の機能ブロックを統合するように構成してもよい。
【００４５】
入力ＩＦ４６は、センサ３４としてテンションセンサから巻き取り可能な濾過網２７の張力測定値を入力し、内部バス４９を介して測定値を張力制御部４１に伝達し、測定値を記憶部４５の所定の記憶領域に記憶させる。また、入力ＩＦ４６は、回転角度センサから第１のローラ軸２３及び第２のローラ軸２２の回転角度測定値を入力し、内部バス４９を介して測定値を張力制御部４１に伝達し、測定値を記憶部４５の所定の記憶領域に記憶させる。入力ＩＦ４６は、圧力センサ（流体圧力センサ）からストレーナ２の入口部（入口ノズル）側と出口部（出口ノズル）側の差圧の測定値を受け、内部バス４９を介してその差圧の測定値を巻回タイミング制御部４３に伝達し、差圧の測定値を記憶部４５の所定の記憶領域に記憶させる。入力ＩＦ４６は、ローラ軸駆動部３１に取り付けられたモータがサーボモータである場合、ポテンショメータ等の位置検出器からの測定値を入力し、内部バス４９を介して測定値を巻回量制御部４２に伝達し、測定値を記憶部４５の所定の記憶領域に記憶させる。また、圧力センサ（流体圧力センサ）からのストレーナ２の入口部（入口ノズル）側と出口部（出口ノズル）側の差圧の測定値も、内部バス４９を介して逆洗制御部４４に伝達される。圧力センサ（流体圧力センサ）によるストレーナ２の入口部（入口ノズル）側と出口部（出口ノズル）側の差圧の測定は、所定の周期で行われる。
【００４６】
張力制御部４１は、入力ＩＦ４６から伝達された巻き取り可能濾過網２７の張力測定値と、第１のローラ軸２３及び第２のローラ軸２２の回転角度測定値に基づいて、巻き取り可能な濾過網２７の張力が適正な張力の許容値範囲内となるように、出力ＩＦ４７を介して制御コマンドをローラ軸駆動部３１に出力する。ここで出力する制御コマンドは、ローラ軸駆動部３１に取り付けられたモータがサーボモータである場合のパルス幅変調（ＰＷＭ）の電圧信号であり、第１のローラ軸２３又は第２のローラ軸２２を駆動して、ＰＷＭの電圧信号に対応する回転角度で回転させる。ローラ軸駆動部３１に取り付けられたモータがステッピングモータである場合、制御コマンドとして駆動パルスが出力され、この駆動パルスに応じて第１のローラ軸２３又は第２のローラ軸２２が回転駆動される。巻き取り可能な濾過網２７の適切な張力の許容範囲は、測定されるようにしても良い。例えば、事前に試験して巻き取り可能な濾過網２７の対応できる張力を測定し、それを記憶部４５に記憶させる。
【００４７】
巻回タイミング制御部４３は、入力ＩＦ４６から伝達されたストレーナ２の入口部（入口ノズル）側と出口部（出口ノズル）側の差圧の測定値が所定の第１の閾値を超えるか否かを判断し、所定の第１の閾値を超えた場合には、巻き取り可能な濾過網２７に捕捉された異物が所定の量に達したことにより、巻回される巻き取り可能な濾過網２７の、異物を除去する分離性能が低減したと判断し、内部バス４９を介して、巻回量制御部４２に巻回開始コマンドを出力する。本実施形態では、巻回タイミング制御部４３は、ストレーナ２の入口部（入口ノズル）側と出口部（出口ノズル）側の差圧の測定値に基づいて、巻回開始コマンドを出力しているが、本発明はこれに限定されるものではない。例えば、圧力センサ（流体圧力センサ）の代わりに、流体の流速を測定する流速センサがセンサ３４として設けられ、流速センサによる流速の測定値に基づいて、巻回量制御部４２が、巻回開始コマンドを出力するように構成してもよい。
【００４８】
巻回タイミング制御部４３からの巻回開始コマンドに応じて、巻回量制御部４２は、巻回量を所定の巻回量（所定の長さＬ）と所定の繰り出し量（所定の長さＬ）とに設定し、巻回量制御部４２は、出力ＩＦ４７を介して、対応する制御コマンドをローラ軸駆動部３１に出力する。ここで、ローラ軸駆動部３１に取り付けられたモータがサーボモータである場合、巻回量制御部４２は、所定の巻回量（所定の長さＬ）に対応するＰＷＭの電圧信号を制御コマンドとしてサーボモータに出力し、巻回量制御部４２は、ＰＷＭの電圧信号に対応する回転数で第１のローラ軸２３を回転駆動する。巻回量制御部４２は、所定の繰り出し量（所定の長さＬ）に対応するＰＷＭの電圧信号を制御コマンドとしてサーボモータに出力し、巻回量制御部４２は、ＰＷＭの電圧信号に対応する回転数で第２のローラ軸２２を回転駆動する。ローラ軸駆動部３１に取り付けられたモータがステッピングモータである場合、巻回量制御部４２は、所定の巻回量（所定の長さＬ）に対応する駆動パルスを制御コマンドとしてステッピングモータに出力し、巻回量制御部４２は、駆動パルスに対応する回転数で第１のローラ軸２３を回転駆動する。巻回量制御部４２は、所定の繰り出し量（所定の長さＬ）に対応する駆動パルスを制御コマンドとしてステッピングモータに出力し、巻回量制御部４２は、駆動パルスに対応する回転数で第２のローラ軸２２を回転駆動する。しかし、巻き取り可能な濾過網２７の巻回時に、第１のローラ軸２３及び第２のローラ軸２２の回転数に差が生じると、巻き取り可能な濾過網２７の張力が変動する可能性がある。したがって、入力ＩＦ４６から伝達された巻き取り可能な濾過網２７の張力測定値と、第１のローラ軸２３及び第２のローラ軸２２の回転角度測定値に基づいて、巻き取り可能な濾過網２７の張力が適正な張力の許容範囲内となるように、出力ＩＦ４７を介して制御コマンドをローラ軸駆動部３１に出力することによってフィードバック制御が実行される。
【００４９】
第１のローラ軸２３が駆動ローラであり、第２のローラ軸２２が従動ローラである場合、巻回量制御部４２は、第１のローラ軸２３を回転駆動するサーボモータに対して、所定の繰り出し量（所定の長さＬ）に対応するＰＷＭの電圧信号を制御コマンドとして出力する。或いは、巻回量制御部４２は、所定の繰り出し量（所定の長さＬ）に対応する駆動パルスを、第１のローラ軸２３を回転駆動するステッピングモータに制御コマンドとして出力する。
【００５０】
また、巻回タイミング制御部４３からの巻回開始コマンドに呼応して、巻回量制御部４２は、出力ＩＦ４７を介して制御コマンドをローラ軸駆動部３１に出力し、上述の逆回転ブラシ２６のロータ軸（第３のロータ軸）をサーボモータ又はステッピングモータにより回転させる。
【００５１】
上述の巻き取り可能な濾過網２７の巻回動作は、異物を含む流体のストレーナ２への流入が停止している間に行われることが望ましい。したがって、巻回量制御部４２は、出力ＩＦ４７を介して主流体ラインポンプ３に停止コマンドを出力し、第１のバルブとしての上流バルブ６を閉じるための制御コマンドを出力する。
【００５２】
第１のローラ軸２３によって巻回できる巻き取り可能な濾過網２７の全てを巻回し、入力ＩＦ４６から伝達されるストレーナ２の入口部（入口ノズル）側と出口部（出口ノズル）側との間の差圧の測定値が、所定の第１の閾値を超えると、逆洗制御部４４は動作する。逆洗制御部４４は、出力ＩＦ４７を介して主流体ラインポンプ３に停止コマンドを出力し、第１のバルブとしての上流バルブ６を閉じるための制御コマンドを出力する。そして、逆洗制御部４４は、出力ＩＦ４７を介して、逆洗ポンプ４に駆動コマンドを出力し、逆洗ポンプ４は、第２のバルブとしての下流バルブ７を通って流出管１０に導入された洗浄液又は化学洗浄剤を加圧し、加圧された洗浄液又は加圧された化学洗浄剤が流出管１０を介してストレーナ２に導入される。ストレーナ２に導入された、加圧された洗浄液又は加圧された化学洗浄剤は、洗浄液の水圧又は化学洗浄剤の化学洗浄によって巻き取り可能な濾過網２７に捕捉された異物を除去するために使用され、除去された異物は、重力によってドレン３０及びドレン管１１を介して廃棄物回収装置５に排出される。これにより、巻き取り可能な濾過網２７が再生されるので、作業者が巻き取り可能な濾過網２７を交換する必要がなくなる。逆洗制御部４４は、所定の巻回量（所定の長さＬ）で上記の動作を実行する。逆洗制御部４４は、内部バス４９を介して、記憶部４５の所定の記憶領域に逆洗回数等の履歴データを記憶し、逆洗制御部４４は、逆洗動作回数等の履歴データを、通信ＩＦ４８を介して中央制御室５１又は制御パネル５２に送信する。これにより、オペレータ（作業者）は、表示された逆洗動作回数等の履歴データを確認し、逆洗頻度が設定回数に達したことを容易に判定することができる。基本的に、巻き取り可能な濾過網２７を交換する必要がないとしても、巻き取り可能な濾過網２７を長時間にわたって逆洗して繰り返し使用することによって、例えば、巻き取り可能な濾過網２７の障害が発生した場合に、巻き取り可能な濾過網２７を交換する必要性を判断することが可能である。逆洗中の動作フローの詳細については後述する。
【００５３】
図６は、図３に示した巻き取り可能な濾過網２７の形状を示す図である。図６には、白矢印で示す、巻き取り可能な濾過網２７の移動方向、すなわち、第１のローラ軸２３による巻回方向が示されている。図６に示す巻き取り可能な濾過網２７は、その幅方向の両端部において長手方向に沿った所定の長さＬに対応する位置に磁性体６１を有している。すなわち、磁性体６１は、メッシュ部が固定された２枚のステンレス鋼板の間の所定の長さＬの距離に配設されている。この場合、メッシュ部のメッシュ寸法は、例えば、２０ｍｍ〜１００ｍｍの範囲内で適宜設定される。メッシュ部のメッシュ寸法は、捕捉される異物の平均外径及び圧力損失に依存するので、異物の平均外径及び圧力損失に基づいて適宜設定してもよい。
【００５４】
以上のように、第１のローラ軸２３、又は第１のローラ軸２３及び第２のローラ軸２２により巻き取り可能な濾過網２７が所定の長さＬだけ巻回される場合、所定の長さＬの巻回は、磁性体６１の位置を検出することによって検出し、ローラ軸駆動部３１に取り付けられたサーボモータ又はステッピングモータの回転動作を停止させる。
【００５５】
このように、巻付可能な濾過網２７の幅方向の両端に所定の長さＬに対応する間隔で磁性体６１を配設することにより、上記所定の長さＬに対応するＰＷＭの電圧信号によるサーボモータの制御や、所定の長さＬに対応する駆動パルスによるステッピングモータの制御に比べて、巻き取り可能な濾過網２７の位置をより高制御精度に設定される。
【００５６】
図７は、図３に示した巻き取り可能な濾過網２７の他の形状を示す図である。図７は、白矢印で示す、巻き取り可能な濾過網２７の移動方向、すなわち、第１のローラ軸２３による巻回方向を示す。図７に示すように、巻き取り可能な濾過網２７は、巻き取り可能な濾過網２７の幅方向両端部の、長手方向に沿った所定の長さＬに対応する位置に切欠き６２を有する。すなわち、メッシュ部を所定の長さＬ間隔で固定する薄板状のステンレス鋼板の上に切欠き６２が形成されている。この場合、メッシュ部のメッシュ寸法は、例えば、２０ｍｍ〜１００ｍｍの範囲内で適宜設定される。メッシュ部のメッシュ寸法は、捕捉される異物の平均外径及び圧力損失に依存するので、異物の平均外径及び圧力損失に基づいて適宜設定してもよい。
【００５７】
以上のように、第１のローラ軸２３、又は第１のローラ軸２３及び第２のローラ軸２２が巻き取り可能な濾過網２７を所定の長さＬだけ巻回する場合、メインハウジング２１に設けられた凸部（図示せず）に切欠き６２を嵌め込んで所定の長さＬの巻回を検出することによって、切欠き６２の位置を検出し、ローラ軸駆動部３１に取り付けられたサーボモータやステッピングモータの回転を停止させる。
【００５８】
このように、巻付可能な濾過網２７の幅方向の両端に所定の長さＬに対応する間隔で切欠き６２を形成することにより、上記所定の長さＬに対応するＰＷＭの電圧信号によるサーボモータの制御や、所定の長さＬに対応する駆動パルスによるステッピングモータの制御に比べて、巻き取り可能な濾過網２７の位置をより高制御精度に設定される。
【００５９】
次に、本実施形態による濾過システム１の逆洗中の動作フローについて説明する。図８は、図１に示す濾過システムの逆洗のフローチャートである。上述したように、逆洗は、第１のローラ軸２３によって巻回可能な巻き取り可能な濾過網２７の全てが巻回され、ストレーナ２の入口部（入口ノズル）側と出口部（出口ノズル）側の差圧の測定値が第１の閾値を超える場合において行われる。
【００６０】
ステップＳ１１において、コントローラ１２を構成する逆洗制御部４４は、出力ＩＦ４７を介して主流体ラインポンプ３に停止コマンドを出力し、第１のバルブとしての上流バルブ６を閉じる制御コマンドを出力する。このとき、第２のバルブである下流バルブ７と、第３のバルブであるドレンバルブ８とは、開放された状態に維持される。
【００６１】
ステップＳ１２において、逆洗制御部４４は、出力ＩＦ４７を介して逆洗ポンプ４に駆動コマンドを出力することにより、逆洗ポンプ４を駆動する。逆洗ポンプ４は、流出管１０に導入された洗浄液又は化学洗浄剤を、第２のバルブとしての下流バルブ７を介して加圧し、加圧された洗浄液又は加圧された化学洗浄剤を、流出管１０を介してストレーナ２に導入する。ストレーナ２に導入された加圧された洗浄液又は加圧された化学洗浄剤は、洗浄液の水圧により除去されるか化学洗浄剤による化学洗浄により除去され、巻き取り可能な濾過網２７に捕捉された異物が除去され、除去された異物は、重力によってドレン３０及びドレン管１１を介して廃棄物回収装置５に排出される。
【００６２】
ステップＳ１３において、逆洗制御部４４は、所定の時間が経過したか否かを判定する。所定時間が経過したと判定された場合、処理はステップＳ１４に移行する。一方、所定時間が経過していないと判定された場合には、処理はステップＳ１２に戻り、逆洗を継続する。
【００６３】
ステップＳ１４において、逆洗制御部４４は、出力ＩＦ４７を介して逆洗ポンプ４に停止コマンドを出力し、第１のバルブとしての上流バルブ６を開放するための制御コマンドを出力する。このとき、第２のバルブである下流バルブ７と、第３のバルブであるドレンバルブ８とは、開放された状態に維持される。
【００６４】
ステップＳ１５において、主流体ラインポンプ３は、出力ＩＦ４７を介して主流体ラインポンプ３に駆動コマンドを出力する逆洗制御部４４によって駆動される。主流体ラインポンプ３は、異物を含む流体を加圧し、流入管９及び第１のバルブとしての上流バルブ６を介してストレーナ２に加圧された異物を含む流体を導入する。
【００６５】
ステップＳ１６において、逆洗制御部４４は、入力ＩＦ４６から伝達されたストレーナ２の入口部（入口ノズル）側と出口部（出口ノズル）側の差圧の測定値が所定の閾値（所定の第２の閾値）を超えているか否かを判定する。この判定の結果、差圧の測定値が第２の閾値を超えた場合には、ステップＳ１２に戻り、ステップＳ１２からステップＳ１６までの動作を繰り返し実行する。一方、判定の結果、差圧の測定値が所定の第２の閾値以下である場合、逆洗制御部４４は、巻き取り可能な濾過網２７の所定の長さＬへの逆洗が完了し、逆洗動作が終了したと判定する。所定の第２の閾値は、所定の第１の閾値よりも小さい値に設定されている。
【００６６】
上述のステップＳ１１からステップＳ１６までの動作は、巻き取り可能な濾過網２７の全領域に対して行われる。すなわち、逆洗制御部４４は、上述のステップＳ１６において、所定の長さＬに対する巻き取り可能な濾過網２７の逆洗が完了したことを検出すると、逆洗制御部４４は、コントローラ１２を構成する巻回量制御部４２に対して、内部バス４９を介して検出信号を出力する。巻回量制御部４２は、逆洗制御部４４から入力された検出信号に応じて、所定の巻回量（所定の長さＬ）及び所定の繰り出し量（所定の長さＬ）に応答して、出力ＩＦ４７を介して制御コマンドをローラ軸駆動部３１に出力する。
【００６７】
ローラ軸駆動部３１に取り付けられたモータがサーボモータである場合、巻回量制御部４２は、所定の巻回量（所定の長さＬ）に対応するＰＷＭの電圧信号を制御コマンドとしてサーボモータに出力し、ＰＷＭの電圧信号に対応する回転数で第２のロータ軸２２を回転させる。巻回量制御部４２は、所定の繰り出し量（所定の長さＬ）に対応するＰＷＭの電圧信号を制御コマンドとしてサーボモータに出力し、ＰＷＭの電圧信号に対応する回転数で第１のロータ軸２３を駆動する。ローラ軸駆動部３１に取り付けられたモータがステッピングモータである場合、巻回量制御部４２は、所定の巻回量（所定の長さＬ）に対応する駆動パルスを制御コマンドとして設定し、第２のロータ軸２２は、駆動パルスに対応する回転数だけ回転させられる。巻回量制御部４２は、所定の繰り出し量（所定の長さＬ）に対応する駆動パルスを制御コマンドとしてステッピングモータに出力し、第１のロータ軸２３は駆動パルスに対応する回転数だけ回転される。巻き取り可能な濾過網２７の巻回中に第１のローラ軸２３及び第２のローラ軸２２の回転数に差がある場合、巻き取り可能な濾過網２７の張力が変化する可能性がある。したがって、張力制御部４１は、入力ＩＦ４６から伝達された巻き取り可能濾過網２７の張力測定値と、第１のローラ軸２３及び第２のローラ軸２２の回転角度測定値を計算し、巻き取り可能な濾過網２７の張力が許容張力値範囲内となるように、出力ＩＦ４７を介して制御コマンドをローラ軸駆動部３１に出力することによってフィードバック制御が行われる。その後、ステップＳ１１からステップＳ１６までの動作が同様に行われる。
【００６８】
したがって、巻き取り可能な濾過網２７の全ての領域に対して逆洗が完了したら、再生された巻き取り可能な濾過網２７を第２のローラ軸２２上で完全に巻回し、巻き取り可能な濾過網２７を交換することなく、ストレーナ２によって異物を含む流体から異物を再び除去する。
【００６９】
上述したように、本実施形態によれば、異物を含む流体から異物を除去する分離の性能を維持することができ、作業者が狭い場所等の接近が困難な環境での取り付け可能なストレーナ及び濾過システムを提供することが可能である。
【００７０】
本実施形態によれば、第１のローラ軸２３及び第２のローラ軸２２により、新たな巻き取り可能な濾過網２７を自動的に供給することが可能である。
【００７１】
また、本実施形態によれば、新しい巻き取り可能な濾過網２７が最終的に第１のローラ軸２３によって巻回されても、第１のローラ軸２３及び第２のローラ軸２２を逆方向に反転回転させることにより、巻き取り可能な濾過網２７を再生することができ、ストレーナ２の長寿命化を図ることができる。
【実施例２】
【００７２】
図９は、本発明の第２の実施形態による濾過システム１ａの全体的な概略構成図である。第１の実施形態では、異物を含む流体が、水平方向のストレーナに流入する。これに対して、本実施形態では、異物を含む流体が、ストレーナに鉛直方向に流入し、支持部材の形状が第１の実施形態と異なる。なお、以下の説明において、第１の実施形態と同様の構成要素については、同一の符号を付し、第１の実施形態と重複する説明は省略する。
【００７３】
図９に示すように、本実施形態の濾過システム１ａでは、主流体ラインポンプ３によって加圧された異物を含む流体が、流入管９及び第１のバルブ６としての流入としての上流バルブ６を介して鉛直方向にストレーナ２ａに流入する。ストレーナ２ａに導入された異物を含む流体は異物から除去され、流出管１０及び第２のバルブとしての下流バルブ７を介して鉛直方向に流出する。
【００７４】
ストレーナ２ａにより除去された異物は、ドレン管１１及び第３のバルブとしてのドレンバルブ８を介して、廃棄物回収装置５に鉛直方向に排出される。
【００７５】
図１０は、図９に示すストレーナ２ａの縦断面図であり、流体の流れ方向に沿って切った断面図である。図１０に示すように、第１のローラ軸６３（右側）と第２のローラ軸６４（左側）とは、水平方向に所定の距離をおいて互いに対向するように配設されている。巻き取り可能な濾過網２７の中に捕捉された異物は、巻き取り可能な濾過網２７が第１のローラ軸６３によって所定の長さＬ（所定の巻回量）だけ巻回されたときに、逆回転ブラシ２６によって掻き取られる。掻き取られた異物は、重力により、ドレン３０を介してドレン管１１を通って廃棄物回収装置５（図９）に流入する。
【００７６】
ここで、逆回転ブラシ２６のロータ軸（第３のロータ軸）の回転速度は、第１のロータ軸６３の回転速度よりも速い。これにより、互いに対して停止状態であるとみなされる第１のローラシャッタ６３によって巻回された巻き取り可能な濾過網２７に捕捉された異物を効率的に除去することが可能となる。
【００７７】
水平方向に所定の距離だけ互いに離間して互いに対向する第１のローラ軸６３及び第２のローラ軸６４に巻き付けられ、支持部材２９に支持された巻き取り可能な濾過網２７は、流体の流れ方向に対して直交するように配設されている。巻き取り可能な濾過網２７は、流体の流れ方向に対して直交する構成に限定されない。例えば、ストレーナ２ａの入口部（入口ノズル）に接続された流入管９を、継手を介して引っ張ることで、ストレーナ２ａの入口部（入口ノズル）を屈曲させてもよい。この場合、巻き取り可能な濾過網２７は、流体の流れ方向に対して所定の角度を有するように配設される。加えて、流体によっては、巻き取り可能な濾過網２７を、流体の流れ方向に対して所定の角度を有するように配設することにより、流体に含まれる異物をより効率的に捕捉することが可能である。
【００７８】
水平方向に所定の距離だけ互いに離間して、互いに対向する第１のローラ軸６３及び第２のローラ軸６４は、共に駆動ローラである。すなわち、第１のロータ軸６３及び第２のロータ軸６４は、ローラ軸駆動部３１（図示せず）に設けられたステッピングモータ又はサーボモータ（図示せず）によって同期して駆動される。第１のローラ軸６３の回転速度と第２のローラ軸６４の回転速度とは同じである。このように、第１のローラ軸６３及び第２のローラ軸６４を共に駆動ローラとすることで、第１のローラ軸６３及び第２のローラ軸６４に巻回された巻き取り可能な濾過網２７を高精度に制御することができる。流体中に異物が捕捉された巻き取り可能な濾過網２７は、第１のローラ軸６３によって所定の巻回量（所定の長さＬ）で巻回される。同様に、新しい巻き取り可能な濾過網２７（流体に含まれる異物が捕捉されていない）は、第２のローラ軸６４によって所定の繰り出し量（所定の長さＬ）で繰り出される。第１のローラ軸６３及び第２のローラ軸６４を駆動ローラとして用いるのではなく、以下の構造を採用してもよい。
【００７９】
すなわち、第１のローラ軸６３が駆動ローラであり、第２のローラ軸６４は従動ローラであってもよい。この場合、例えば、ばねの一端は、従動ローラである第２のローラ軸６４の軸方向の中心、両端部（長手方向の両端部）に固定され、ばねの他端は、固定ベースに固定されるようにすればよい。ばねを逆方向に付勢することによって、巻き取り可能な濾過網２７の張力が制御される。また、第１のローラ軸６３の回転力が無端ベルトを介して第２のローラ軸６４に伝達されるように、無端ベルト上に、駆動ローラとしての第１のローラ軸６３の軸方向の両端部（長手方向の両端部）及び従動ローラとしての第２のローラ軸６４の軸方向の両端部（長手方向の両端部）が形成されている。
【００８０】
図１１は、図１０に示すストレーナ２ａを構成する支持部材の形状を説明する図である。図１１において、左上の図は支持部材２９の斜視図を示し、右上の図は支持部材２９の正面図を示し、左下の図は支持部材２９の側面図であって斜視図の前側から見た側面図を示し、右下の図は斜視図において右側から見た支持部材２９の側面図を示す。支持部材２９の正面図は、流体の流れ方向に沿って見たときの正面図である。図１１の斜視図に示すように、支持部材２９は、フレーム形状を有している。支持部材２９は、水平方向に離間するとともに流体が流れる側へ延びる二つの部材と、その水平方向の二つの部材の２つの端を接続する水平方向の二つの部材と、流体の方向に互いから離れるように延びる二つの部材の両端から流体の流れの方向（鉛直方向）に平行に延びる（脚部）から構成されている。図１１の正面図に示すように、支持部材２９は、水平方向に延びて、水平方向に延びる二つの部材と、水平方向に延びる二つの部材から構成され、４つの長方形の開口部が、２つの端を接続する二つの水平方向の部材に加えて、二つの交差する部材によって形成されている。上述したように、前記支持部材２９は、二つの交差する部材を有しているので、第１の実施形態の支持部材２９と比較して、加圧された異物を含む流体が支持部材２９に支持される。加圧された異物を含む流体が支持部材２９に支持された巻き取り可能な濾過網２７を通過する際の圧力損失がある程度大きくなるものの、巻き取り可能な濾過網２７の撓み防止効果を向上させることが可能となり、支持部材２９の強度を向上させることができる。
【００８１】
図１１の斜視図及び右下の側面図に示すように、支持部材２９を構成する流体が流れる側に水平方向に互いに離間して設けられた二つの部材は、幅方向に配設され、外側端部に向かうにつれて、流体の流れ方向と対向するように突出する傾斜面２９ａを有している。すなわち、傾斜面２９ａは、上から見て、流体が流れる側に設けられた水平方向に離間した二つの部材の隙間のような形状に、また、軸線方向に互いから離れるように延びる部材の幅方向外方に傾斜した形状に形成されている。したがって、巻き取り可能な濾過網２７の幅方向（巻回方向に対して直交する方向）の両端部が支持部材２９の傾斜面２９ａに当接して、巻き取り可能な濾過網２７に捕捉された異物が、幅方向（巻回方向に対して直交する方向）において巻き取り可能な濾過網２７の両端から下流側に漏れるのを防止することができる。
【００８２】
傾斜面２９ａの傾斜角度は、第１のローラ軸６３の軸方向両端部（長手方向両端部）に形成された傾斜面２３ａの傾斜角度と、及び第２のローラ軸６４の軸方向両端部（長手方向両端部）に形成された傾斜面２２ａの傾斜角度と、ほぼ同じである。その結果、巻き取り可能な濾過網２７の第１のローラ軸６３による巻回時（巻き取り可能な濾過網２７の第２のローラ軸６４による繰り出し時）に、巻き取り可能な濾過網２７に撓みが生じるのを防止することが可能である。
【００８３】
コントローラ１２の構成と動作及び逆洗中の濾過システム１ａの動作フローは、第１の実施形態と同様であるので、説明は省略する。
【００８４】
上述の実施形態によれば、第１の実施形態の効果に加えて、巻き取り可能な濾過網２７の撓みを防止する効果が向上し、支持部材２９の強度を向上させることができる。
【００８５】
上述の第１の実施形態及び第２の実施形態に示したフレーム形状の支持部材２９を構成する部材の傾斜面２９ａを有する部材をローリングすることができる巻き取り可能な濾過網２７の移動方向（巻回方向）。長さは、移動方向（巻回方向）と平行な方向に可変であってもよい。この場合、傾斜面２９ａを有する部材の長さをアクチュエータ等で調整することにより、巻き取り可能な濾過網２７の張力を調整することが可能である。
【００８６】
上述の第１の実施形態及び第２の実施形態で示したフレーム形状の支持部材２９を構成する部材の傾斜面２９ａを有する部材は、外側端で折り返され、折り返し部と傾斜面２９ａとの間で巻回できる巻き取り可能な濾過網２７の幅方向の両端部は移動可能に構成してもよい。
【００８７】
これにより、巻き取り可能な濾過網２７に捕捉された異物が、巻き取り可能な濾過網２７の幅方向（巻回方向に対して直交する方向）の両端から下流側に漏れることが防止される。さらに効果を向上させることが可能である。
【００８８】
また、上記第１の実施形態及び第２の実施形態で示した巻き取り可能な濾過網２７のメッシュ部は、多孔質板であってもよい。この場合、孔の大きさは、捕捉される異物の平均外径と圧力損失とに依存するため、異物の平均外径と圧力損失に基づいて適宜設定すればよい。
【００８９】
なお、本発明は上述の実施形態に限定されるものではなく、種々の変更が本発明に含まれる。例えば、本発明の説明を容易にするために、実施の形態を詳述したが、本発明は、記載した構成の全てが含まれる実施の形態に限定されるものではない。加えて、ある実施形態の構成の一部を他の実施形態の構成に置き換えることができ、或いは、他の実施形態の構成に、ある実施形態の構成を加えることもできる。加えて、個々の実施形態の構成の一部について、他の実施形態の構成の追加、削除、置換等を行うこともできる。
【符号の説明】
【００９０】
１、１ａ  濾過システム
２、２ａ  ストレーナ
３  主流体ラインポンプ
４  逆洗ポンプ
５  廃棄物回収装置
６  上流バルブ
７  下流バルブ
８  ドレンバルブ
９  流入管
１０  流出管
１１  ドレン管
１２  コントローラ
２１  メインハウジング
２２、６４  第２のローラ軸
２２ａ  傾斜面
２３、６３  第１のローラ軸
２３ａ  傾斜面
２４  第２のローラ軸支持
２５  第１のローラ軸支持
２６  逆回転ブラシ
２７  巻き取り可能な濾過網
２８  出口フランジ
２９  支持部材
２９ａ  傾斜面
３０  ドレン
３１  ローラ軸駆動部
３２  逆回転ブラシ用増速ギヤ
３３  入口フランジ
３４  センサ
４１  張力制御部
４２  巻回量制御部
４３  巻回タイミング制御部
４４  逆洗制御部
４５  記憶部
４６  入力ＩＦ
４７  出力ＩＦ
４８  通信ＩＦ
４９  内部バス
５１  中央制御室
５２  制御パネル
６１  磁性体
６２  切欠き
【図１】
2021501050.tif 000003
【図２】
2021501050.tif 000004
【図３】
2021501050.tif 000005
【図４】
2021501050.tif 000006
【図５】
2021501050.tif 000007
【図６】
2021501050.tif 000008
【図７】
2021501050.tif 000009
【図８】
2021501050.tif 000010
【図９】
2021501050.tif 000011
【図１０】
2021501050.tif 000012
【図１１】
2021501050.tif 000013
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
導入された流体から異物を除去するストレーナであって、
異物を含む流体を導入する入口部と、
前記入口部を通って導入された流体から前記異物を除去する巻き取り可能な濾過網と、
前記巻き取り可能な濾過網を通り抜けた前記流体を流出させる出口部と、
前記巻き取り可能な濾過網の所定の長さだけ巻回する第１のローラ軸と、
前記巻き取り可能な濾過網の所定の長さだけ繰り出す第２のローラ軸と、を備え、
前記第１のローラ軸は、前記第２のローラ軸との間に所定の距離を空けて対向して位置し、前記異物を捕捉した前記巻き取り可能な濾過網は、前記第１のローラ軸によって巻回され、新しい巻き取り可能な濾過網が前記第２のローラ軸によって繰り出される、
ストレーナ。
【請求項２】
さらに、水平方向に前記第１のローラ軸に対向するよう配設された第３のローラ軸を備え、
ブラシが前記第３のローラ軸の外周面に設けられて前記第１のローラ軸によって巻回された前記巻き取り可能な濾過網に捕捉された前記異物を除去する請求項１に記載のストレーナ。
【請求項３】
前記第３のローラ軸の回転速度は、前記第１のローラ軸の回転速度より速い請求項２に記載のストレーナ。
【請求項４】
さらに、ドレンを備え、前記巻き取り可能な濾過網から前記第３のローラ軸の前記外周面上の前記ブラシによって除去された異物は、前記ドレンを介して排出される請求項３に記載のストレーナ。
【請求項５】
さらに、前記第１のローラ軸と前記第２のローラ軸の間に配設されて前記巻き取り可能な濾過網を支持する支持部材を備え、
前記支持部材は、フレーム形状を有し、前記巻き取り可能な濾過網の幅方向両端部に対応する二つの部材は、それぞれ前記幅方向外側に傾斜する傾斜面を有する請求項１乃至４のいずれか一項に記載のストレーナ。
【請求項６】
前記支持部材を構成する前記傾斜面を有する前記二つの部材は、それぞれその外側端部で折り返した折り返し部を有し、前記巻き取り可能な濾過網の前記幅方向両端部は、前記傾斜面と前記折り返し部の間に位置する請求項５に記載のストレーナ。
【請求項７】
前記支持部材に支持された前記巻き取り可能な濾過網は、前記異物を含む流体の流れ方向に対して直交するよう配設される請求項６に記載のストレーナ。
【請求項８】
前記第１のローラ軸と前記第２のローラ軸は、駆動ローラである、或いは、前記第１のローラ軸は、前記駆動ローラであって、前記第２のローラ軸は、従動ローラである請求項７に記載のストレーナ。
【請求項９】
濾過システムであって、
流体に含まれる異物を除去するためのストレーナと、
前記ストレーナに異物を含む流体を供給する流入管と、
前記流入管に接続された主流体ラインポンプと、
前記主流体ラインポンプの下流側且つ前記ストレーナの上流側の前記流入管に取り付けた第１のバルブと、
前記ストレーナによって異物が除去された流体を流すための流出管と、
前記ストレーナによって前記流体から除去された異物を排出するドレン管と
前記ドレン管を通って異物が流入する廃棄物回収装置と、
コントローラとを備え、
前記ストレーナが、さらに、
異物を含む流体を導入する入口部と、
前記入口部を通って導入された流体から前記異物を除去する巻き取り可能な濾過網と、
前記巻き取り可能な濾過網を通り抜けた前記流体を流出させる出口部と、
前記巻き取り可能な濾過網の所定の長さだけ巻回する第１のローラ軸と、
前記巻き取り可能な濾過網の所定の長さだけ繰り出す第２のローラ軸と、を備え、
前記第１のローラ軸は、前記第２のローラ軸との間に所定の距離を空けて対向して位置し、前記異物を捕捉した前記巻き取り可能な濾過網が前記第１のローラ軸に巻回され、新しい巻き取り可能な濾過網が前記第２のローラ軸によって繰り出される、濾過システム。
【請求項１０】
前記ストレーナは、さらに、
水平方向に前記第１のローラ軸に対向するよう配設された第３のローラ軸を備え、
ブラシが前記第３のローラ軸の外周面に設けられて前記第１のローラ軸によって巻回された前記巻き取り可能な濾過網に捕捉された前記異物を除去する請求項９に記載の濾過システム。
【請求項１１】
前記第３のローラ軸の回転速度は、前記第１のローラ軸の回転速度より速い請求項１０に記載の濾過システム。
【請求項１２】
前記ストレーナは、さらに、
前記第１のローラ軸と前記第２のローラ軸の間に配設されて前記巻き取り可能な濾過網を支持する支持部材を備え、
前記支持部材は、フレーム形状を有し、前記巻き取り可能な濾過網の幅方向両端部に対応する二つの部材は、それぞれ前記幅方向外側に傾斜する傾斜面を有する請求項９乃至１１のいずれか一項に記載の濾過システム。
【請求項１３】
前記支持部材を構成する前記傾斜面を有する前記二つの部材は、それぞれその外側端部で折り返した折り返し部を有し、前記巻き取り可能な濾過網の前記幅方向両端部は、前記傾斜面と前記折り返し部の間に位置する請求項１２に記載の濾過システム。
【請求項１４】
前記ストレーナの前記入口部と出口部の間の差圧が第１の閾値を超えると、前記コントローラは前記第１のローラ軸を制御して前記巻き取り可能な濾過網を所定の長さだけ巻回し、前記第２のローラ軸を制御して前記巻き取り可能な濾過網を所定の長さだけ繰り出す請求項１３に記載の濾過システム。
【請求項１５】
前記コントローラは、前記巻き取り可能な濾過網の張力測定値と、前記第１のローラ軸及び前記第２のローラ軸の回転角度測定値に基づいて回転駆動する前記第１のローラ軸又は前記第２のローラ軸によって、前記巻き取り可能な濾過網の張力を制御する請求項１４に記載の濾過システム。
【請求項１６】
さらに、
前記流出管に設けられた第２のバルブの上流側且つ前記ストレーナの下流側で分岐管を介して流出管に接続された逆洗ポンプを備え、
前記コントローラは、前記主流体ラインポンプを停止し、前記第１のバルブを閉じ、前記逆洗ポンプを駆動して、前記第２のバルブを介して前記流出管に導入された洗浄液又は化学洗浄剤が加圧され、前記加圧された洗浄液又は加圧された化学洗浄剤が前記流出管を介して前記ストレーナに導入され、前記巻き取り可能な濾過網に捕捉された前記異物が前記洗浄液の水圧又は前記化学洗浄剤による化学洗浄によって除去され、除去された前記異物がドレン管を介して前記廃棄物回収装置に排出されるように制御する請求項１５に記載の濾過システム。
【請求項１７】
逆洗工程の後、前記コントローラは、前記第１のバルブを開いて前記主流体ラインポンプを駆動し、前記ストレーナの前記入口部と前記出口部の間の前記差圧が所定の第２の閾値を超える場合、前記逆洗工程を繰り返し実行する請求項１６に記載の濾過システム。
【請求項１８】
前記コントローラは、逆洗工程の後に前記第１のバルブを開くと共に前記主流体ラインポンプを駆動するように制御し、前記ストレーナの前記入口部と前記出口部の間の差圧が前記所定の第２の閾値以下であれば、前記コントローラは、前記第２のローラ軸を制御して前記巻き取り可能な濾過網の所定の長さだけ巻回し、前記第１のローラ軸を制御して前記巻き取り可能な濾過網の所定の長さだけ繰り出す請求項１６に記載の濾過システム。
【請求項１９】
前記所定の第２の閾値は、前記所定の第１の閾値よりも小さい請求項１７又は請求項１８に記載の濾過システム。
【手続補正２】
【補正対象書類名】明細書
【補正対象項目名】００５０
【補正方法】変更
【補正の内容】
【００５０】
また、巻回タイミング制御部４３からの巻回開始コマンドに呼応して、巻回量制御部４２は、出力ＩＦ４７を介して制御コマンドをローラ軸駆動部３１に出力し、上述の逆回転ブラシ２６のローラ軸（第３のローラ軸）をサーボモータ又はステッピングモータにより回転させる。
【手続補正３】
【補正対象書類名】明細書
【補正対象項目名】００６７
【補正方法】変更
【補正の内容】
【００６７】
ローラ軸駆動部３１に取り付けられたモータがサーボモータである場合、巻回量制御部４２は、所定の巻回量（所定の長さＬ）に対応するＰＷＭの電圧信号を制御コマンドとしてサーボモータに出力し、ＰＷＭの電圧信号に対応する回転数で第２のローラ軸２２を回転させる。巻回量制御部４２は、所定の繰り出し量（所定の長さＬ）に対応するＰＷＭの電圧信号を制御コマンドとしてサーボモータに出力し、ＰＷＭの電圧信号に対応する回転数で第１のローラ軸２３を駆動する。ローラ軸駆動部３１に取り付けられたモータがステッピングモータである場合、巻回量制御部４２は、所定の巻回量（所定の長さＬ）に対応する駆動パルスを制御コマンドとして設定し、第２のローラ軸２２は、駆動パルスに対応する回転数だけ回転させられる。巻回量制御部４２は、所定の繰り出し量（所定の長さＬ）に対応する駆動パルスを制御コマンドとしてステッピングモータに出力し、第１のローラ軸２３は駆動パルスに対応する回転数だけ回転される。巻き取り可能な濾過網２７の巻回中に第１のローラ軸２３及び第２のローラ軸２２の回転数に差がある場合、巻き取り可能な濾過網２７の張力が変化する可能性がある。したがって、張力制御部４１は、入力ＩＦ４６から伝達された巻き取り可能濾過網２７の張力測定値と、第１のローラ軸２３及び第２のローラ軸２２の回転角度測定値を計算し、巻き取り可能な濾過網２７の張力が許容張力値範囲内となるように、出力ＩＦ４７を介して制御コマンドをローラ軸駆動部３１に出力することによってフィードバック制御が行われる。その後、ステップＳ１１からステップＳ１６までの動作が同様に行われる。
【手続補正４】
【補正対象書類名】明細書
【補正対象項目名】００７６
【補正方法】変更
【補正の内容】
【００７６】
ここで、逆回転ブラシ２６のローラ軸（第３のロータローラ軸）の回転速度は、第１のローラ軸６３の回転速度よりも速い。これにより、互いに対して停止状態であるとみなされる第１のローラ軸６３によって巻回された巻き取り可能な濾過網２７に捕捉された異物を効率的に除去することが可能となる。
【手続補正５】
【補正対象書類名】明細書
【補正対象項目名】００７８
【補正方法】変更
【補正の内容】
【００７８】
水平方向に所定の距離だけ互いに離間して、互いに対向する第１のローラ軸６３及び第２のローラ軸６４は、共に駆動ローラである。すなわち、第１のローラ軸６３及び第２のローラ軸６４は、ローラ軸駆動部３１（図示せず）に設けられたステッピングモータ又はサーボモータ（図示せず）によって同期して駆動される。第１のローラ軸６３の回転速度と第２のローラ軸６４の回転速度とは同じである。このように、第１のローラ軸６３及び第２のローラ軸６４を共に駆動ローラとすることで、第１のローラ軸６３及び第２のローラ軸６４に巻回された巻き取り可能な濾過網２７を高精度に制御することができる。流体中に異物が捕捉された巻き取り可能な濾過網２７は、第１のローラ軸６３によって所定の巻回量（所定の長さＬ）で巻回される。同様に、新しい巻き取り可能な濾過網２７（流体に含まれる異物が捕捉されていない）は、第２のローラ軸６４によって所定の繰り出し量（所定の長さＬ）で繰り出される。第１のローラ軸６３及び第２のローラ軸６４を駆動ローラとして用いるのではなく、以下の構造を採用してもよい。
【手続補正６】
【補正対象書類名】明細書
【補正対象項目名】００８０
【補正方法】変更
【補正の内容】
【００８０】
図１１は、図１０に示すストレーナ２ａを構成する支持部材の形状を説明する図である。図１１において、左上の図は支持部材２９の斜視図を示し、右上の図は支持部材２９の正面図を示し、左下の図は支持部材２９の側面図であって斜視図の前側から見た側面図を示し、右下の図は斜視図において右側から見た支持部材２９の側面図を示す。支持部材２９の正面図は、流体の流れ方向に沿って見たときの正面図である。図１１の斜視図に示すように、支持部材２９は、フレーム形状を有している。支持部材２９は、水平方向に離間するとともに流体が流れる側へ延びる二つの部材と、その水平方向の二つの部材の２つの端を接続する水平方向の二つの部材と、流体の方向に互いから離れるように延びる二つの部材の両端から流体の流れの方向（鉛直方向）に平行に延びる（脚部）から構成されている。図１１の正面図に示すように、支持部材２９は、水平方向に延びる二つの部材と、水平方向に延びる二つの部材から構成され、４つの長方形の開口部が、２つの端を接続する二つの水平方向の部材に加えて、二つの交差する部材によって形成されている。上述したように、前記支持部材２９は、二つの交差する部材を有しているので、第１の実施形態の支持部材２９と比較して、加圧された異物を含む流体が支持部材２９に支持される。加圧された異物を含む流体が支持部材２９に支持された巻き取り可能な濾過網２７を通過する際の圧力損失がある程度大きくなるものの、巻き取り可能な濾過網２７の撓み防止効果を向上させることが可能となり、支持部材２９の強度を向上させることができる。
【国際調査報告】
2021501050.tif 000014